(57)【要約】【課題】原稿に対して本処理に先立って事前読取が行われる場合に、本処理において原稿全体に対して読み取り処理を行う場合に比して、本処理における読み取り処理に要する時間を低減する。【解決手段】紙文書に対する本処理に先立って、画像読取部４８は、プレスキャン設定で紙文書に対してスキャン処理を行う。スキャン処理により得られた紙文書のページ毎の原稿属性、各ページに対応するプレスキャンページデータ、及びプレスキャン設定が関連付けられてプレスキャンＤＢ５４に格納される。ユーザから本スキャン設定の入力と共に本処理実行が指示されると、画像データ生成部６２は、対応するプレスキャンページデータが本スキャン設定を満足するページについてはプレスキャンページデータを利用し、対応するプレスキャンページデータが本スキャン設定を満足しないページについては本処理により得られた本スキャンページデータを利用して画像データを生成する。【選択図】図４
2018133773.tif 000002
【特許請求の範囲】
【請求項１】
事前読取設定により原稿を読み取って、複数の事前読取ページデータからなる事前読取データを取得する事前読取データ取得部と、
前記原稿に対する本処理に適用される本読取設定、前記事前読取設定、及び、前記事前読取データを解析して得られる前記原稿のページ毎の原稿属性に基づいて、前記原稿が有するページのうち、対応する前記事前読取ページデータが前記本読取設定を満足するページについては当該事前読取ページデータを利用し、対応する前記事前読取ページデータが前記本読取設定を満足しないページについては前記本読取設定により原稿を読み取って得られた本読取ページデータを利用して、本処理用データを生成する本処理用データ生成部と、
を備えることを特徴とするデータ処理装置。
【請求項２】
前記原稿に対する本処理の際に、前記原稿を読み取って前記本読取ページデータを取得する本読取データ取得部であって、前記原稿が有するページのうち、対応する前記事前読取ページデータが前記本読取設定を満足するページについては読み取り処理を行わずに空送りし、対応する前記事前読取ページデータが前記本読取設定を満足しないページについては読み取り処理を行って前記本読取ページデータを取得する本読取データ取得部、
をさらに備えることを特徴とする請求項１に記載のデータ処理装置。
【請求項３】
前記事前読取設定は、予め定められた仮事前読取設定に含まれる各設定項目に対する各設定値と、前記本読取設定に含まれる各設定項目に対する各設定値のうち、設定項目毎により高品位の設定値が選択されることで決定される、
ことを特徴とする請求項１に記載のデータ処理装置。
【請求項４】
利用者により、前記事前読取設定とは異なる内容の前記本読取設定が選択された場合に、当該利用者に対して警告を音声出力する警告出力部と、
をさらに備えることを特徴とする請求項１に記載のデータ処理装置。
【請求項５】
前記事前読取データから、前記原稿の内容を示す文字情報を抽出する文字情報抽出部と、
前記本処理に先立って、前記文字情報を音声出力する原稿内容通知部と、
をさらに備えることを特徴とする請求項１に記載のデータ処理装置。
【請求項６】
コンピュータを、
事前読取設定により原稿を読み取って、複数の事前読取ページデータからなる事前読取データを取得する事前読取データ取得部と、
前記原稿に対する本処理に適用される本読取設定、前記事前読取設定、及び、前記事前読取データを解析して得られる前記原稿のページ毎の原稿属性に基づいて、前記原稿が有するページのうち、対応する前記事前読取ページデータが前記本読取設定を満足するページについては当該事前読取ページデータを利用し、対応する前記事前読取ページデータが前記本読取設定を満足しないページについては前記本読取設定により原稿を読み取って得られた本読取ページデータを利用して、本処理用データを生成する本処理用データ生成部と、
として機能させることを特徴とするデータ処理プログラム。
【発明の詳細な説明】
【技術分野】
【０００１】
本発明は、データ処理装置及びデータ処理プログラムに関する。
【背景技術】
【０００２】
画像処理装置を利用する利用者が、画像処理装置に処理させる紙文書（原稿）の内容を視覚的に確認できない場合がある。例えば、利用者が視覚障害者である場合などである。そのような場合、原稿間違いあるいは原稿のセット間違い（例えば表裏逆にセットしてしまう）などの問題が生じることがある。
【０００３】
従来、この問題を解決するために、原稿に対する画像処理（本処理）に先立って、原稿に対して読み取り処理（事前読取）を行って、得られた事前読取データから文字情報を抽出して当該文字情報を音声出力することで、原稿間違いなどを本処理の実行前に利用者に通知する技術が提案されている（例えば特許文献１）。
【先行技術文献】
【特許文献】
【０００４】
【特許文献１】特開２００４−７０５２３号公報
【発明の概要】
【発明が解決しようとする課題】
【０００５】
従来、本処理に先立って事前読取を行う場合、原稿確認のための事前読取データとしては文字情報が抽出できれば足りる。したがって、事前読取処理の高速化、あるいは事前読取データの低容量化のため、事前読取のための設定としては、文字情報が抽出可能な程度に抑えられていた。そして、本処理においては、利用者により設定された本処理用の設定により改めて原稿全体に対して読取処理が行われていた。このように、従来、事前読取を終えた後に、本処理時に再度原稿全体に対して読取処理を行う必要があった。これにより、本処理が完了するまでに時間がかかってしまうという問題が生じていた。
【０００６】
事前読取を予め高品位（例えばカラー、高解像度）な設定で、且つ、原稿全体に対して行って、事前読取データを本処理の処理結果としてのデータとして利用することも考えられる。このようにすれば本処理において読み取り処理を行う必要がないため、本処理完了までの時間を低減し得る。しかしながら、事前読取により原稿間違いなどが発見される場合もあり（そもそもそれが事前読取を行う目的である）、また、事前読取データの全てが必ずしも本処理用の処理結果としてのデータとして利用できるとも限らない。したがって、時間がかかり、且つ、事前読取データの容量が大きくなる高品位設定での事前読取を行うことは得策ではない。
【０００７】
本発明の目的は、原稿に対して本処理に先立って事前読取が行われる場合に、本処理において原稿全体に対して読み取り処理を行う場合に比して、本処理における読み取り処理に要する時間を低減することにある。
【課題を解決するための手段】
【０００８】
請求項１に係る発明は、事前読取設定により原稿を読み取って、複数の事前読取ページデータからなる事前読取データを取得する事前読取データ取得部と、前記原稿に対する本処理に適用される本読取設定、前記事前読取設定、及び、前記事前読取データを解析して得られる前記原稿のページ毎の原稿属性に基づいて、前記原稿が有するページのうち、対応する前記事前読取ページデータが前記本読取設定を満足するページについては当該事前読取ページデータを利用し、対応する前記事前読取ページデータが前記本読取設定を満足しないページについては前記本読取設定により原稿を読み取って得られた本読取ページデータを利用して、本処理用データを生成する本処理用データ生成部と、を備えることを特徴とするデータ処理装置である。
【０００９】
請求項２に係る発明は、前記原稿に対する本処理の際に、前記原稿を読み取って前記本読取ページデータを取得する本読取データ取得部であって、前記原稿が有するページのうち、対応する前記事前読取ページデータが前記本読取設定を満足するページについては読み取り処理を行わずに空送りし、対応する前記事前読取ページデータが前記本読取設定を満足しないページについては読み取り処理を行って前記本読取ページデータを取得する本読取データ取得部、をさらに備えることを特徴とする請求項１に記載のデータ処理装置である。
【００１０】
請求項３に係る発明は、前記事前読取設定は、予め定められた仮事前読取設定に含まれる各設定項目に対する各設定値と、前記本読取設定に含まれる各設定項目に対する各設定値のうち、設定項目毎により高品位の設定値が選択されることで決定される、ことを特徴とする請求項１に記載のデータ処理装置である。
【００１１】
請求項４に係る発明は、利用者により、前記事前読取設定とは異なる内容の前記本読取設定が選択された場合に、当該利用者に対して警告を音声出力する警告出力部と、をさらに備えることを特徴とする請求項１に記載のデータ処理装置である。
【００１２】
請求項５に係る発明は、前記事前読取データから、前記原稿の内容を示す文字情報を抽出する文字情報抽出部と、前記本処理に先立って、前記文字情報を音声出力する原稿内容通知部と、をさらに備えることを特徴とする請求項１に記載のデータ処理装置である。
【００１３】
請求項６に係る発明は、コンピュータを、事前読取設定により原稿を読み取って、複数の事前読取ページデータからなる事前読取データを取得する事前読取データ取得部と、前記原稿に対する本処理に適用される本読取設定、前記事前読取設定、及び、前記事前読取データを解析して得られる前記原稿のページ毎の原稿属性に基づいて、前記原稿が有するページのうち、対応する前記事前読取ページデータが前記本読取設定を満足するページについては当該事前読取ページデータを利用し、対応する前記事前読取ページデータが前記本読取設定を満足しないページについては前記本読取設定により原稿を読み取って得られた本読取ページデータを利用して、本処理用データを生成する本処理用データ生成部と、として機能させることを特徴とするデータ処理プログラムである。
【発明の効果】
【００１４】
請求項１又は６に係る発明によれば、原稿に対して本処理に先立って事前読取が行われる場合に、本処理において原稿全体に対して読み取り処理を行う場合に比して、本処理における読み取り処理に要する時間を低減することができる。
【００１５】
請求項２に係る発明によれば、本処理にあたり、利用者からの原稿全体に対する本処理の指示に対して、自動的に、前記本読取設定を満足するページについて読み取り処理をスキップすることができる。
【００１６】
請求項３に係る発明によれば、事前読取設定が本読取設定に関係なく設定された場合に比して、事前読取データが本処理用データとして利用できる可能性を向上させることができる。
【００１７】
請求項４に係る発明によれば、警告を出力しない場合に比して、事前読取データが本処理用データとして利用される可能性を向上させることができる。
【００１８】
請求項５に係る発明によれば、利用者は、原稿内容通知部からの音声出力によって、原稿の内容を確認することができる。
【図面の簡単な説明】
【００１９】
【図１】本実施形態に係る画像処理システムの構成概略図である。
【図２】本実施形態に係る端末装置の構成概略図である。
【図３】ジョブアプリケーションのトップ画面の例を示す図である。
【図４】本実施形態に係る画像処理装置の構成概略図である。
【図５】プレスキャンＤＢの内容の例を示す概念図である。
【図６】本実施形態に係る画像処理装置の処理の流れを示すフローチャートである。
【図７】プレスキャン設定利用選択画面の例を示す図である。
【図８】変形実施形態に係る画像処理装置の構成概略図である。
【発明を実施するための形態】
【００２０】
以下、本発明の実施形態について説明する。
【００２１】
図１に、本実施形態に係る画像処理システム１０の構成概略図が示されている。画像処理システム１０は、端末装置１２とデータ処理装置としての画像処理装置１４とを含んで構成される。端末装置１２と画像処理装置１４は、通信回線１６を介して互いに通信可能に接続されている。通信回線１６は、例えばインターネット、ローカルエリアネットワーク（ＬＡＮ）、近距離無線通信などによって構成される。図１に示す例では、１つの端末装置１２と１つの画像処理装置１４が示されているが、画像処理システム１０は、複数の端末装置１２及び画像処理装置１４を含んでいてよい。
【００２２】
端末装置１２は、画像処理装置１４を利用する利用者としてのユーザが使用する端末である。なお、本実施形態に係るユーザは、例えば視覚障害者などの、原稿の内容を十分に視認できない者（以下単に「視覚障害者」と記載する）である。本実施形態においては、端末装置１２は、タブレット端末、スマートフォン、あるいは携帯電話などのモバイル端末であるが、端末装置１２としてはＰＣ（パーソナルコンピュータ）の据え置き型端末であってもよい。後述のように、本実施形態における端末装置１２において、画像処理装置１４に対して処理命令（ジョブ）の入力及び当該ジョブに関する処理設定などを行うためのジョブアプリケーションが動作可能となっている。
【００２３】
特に、本実施形態においては、ユーザは、ジョブアプリケーションを操作することにより、コピージョブ、スキャンジョブ、あるいはファックスジョブに対する画像処理（本処理）に先立って実行される事前読取処理（プレスキャン）を画像処理装置１４に対して指示することができる。プレスキャンは、視覚障害者であるユーザが、処理しようとしている原稿が意図したものであるかを確認するために行われるものである。具体的には、プレスキャンで得られた画像データ（プレスキャンデータ）から文字情報が抽出され、抽出された文字情報が音声出力される。ユーザは、出力された音声を聴き取ることで、処理しようとしている紙文書が意図したものであるかを判断できる。
【００２４】
また、端末装置１２と画像処理装置１４との間の距離が所定距離内となり、両装置間において近距離通信が確立された場合に、端末装置１２を用いて画像処理装置１４に対する操作を行うことが可能となっていてもよい。
【００２５】
画像処理装置１４は、画像処理機能を備えた装置である。例えば、画像処理装置１４は、スキャン機能、プリント機能、コピー機能、及びファックス機能を備える。本実施形態においては、このうち、スキャン機能、コピー機能、及びファックス機能に注目する。スキャン機能は、アナログ形式の原稿である紙文書（フィルム文書なども含む）に対してスキャン処理（読み取り処理）を行って画像データを生成するものである。コピー機能は、スキャン処理により得られた画像データに対して、紙などの印刷媒体へのプリント処理を行うものである。また、ファックス機能は、紙文書に対してスキャン処理を行って得られた画像データをファックス送信するものである。
【００２６】
画像処理装置１４は、ユーザにより入力されたジョブについて、当該ジョブに対して設定された処理設定に応じた処理を行う。本実施形態におけるジョブには、画像処理装置１４に対する処理命令と、当該処理命令に関する設定である処理設定が含まれる。なお、本実施形態においては、ユーザは端末装置１２からジョブが画像処理装置１４に入力されるが、ユーザは、画像処理装置１４に対して直接処理を行うことでジョブを画像処理装置１４に入力するようにしてもよい。
【００２７】
図２には、端末装置１２の構成概略図が示されている。以下、図２を参照しつつ、端末装置１２の各部について説明する。
【００２８】
記憶部２０は、ＲＯＭ（Read Only Memory）あるいはＲＡＭ（Random Access Memory）などを含んで構成される。記憶部２０には、端末装置１２の各部を動作させるためのプログラムが記憶される。また、図２に示されるように、記憶部２０には、端末装置１２上で動作可能なジョブアプリケーション２２が記憶（インストール）されている。ユーザは、端末装置１２上においてジョブアプリケーション２２を実行することで、端末装置１２から画像処理装置１４に対して、ジョブの入力などの指示操作を行うことができる。
【００２９】
表示部２４は、例えば液晶パネルなどから構成される。表示部２４には、端末装置１２を利用するユーザに対する各種通知画面などが表示される。また、表示部２４には、ジョブアプリケーション２２が動作した際に、ジョブアプリケーション２２の画面（ユーザインターフェース）が表示される。
【００３０】
入力部２６は、例えばタッチパネルあるいはボタンなどから構成される。入力部２６は、ユーザの指示を端末装置１２に入力するためのものである。
【００３１】
音声出力部２８は、例えばスピーカ及びスピーカの駆動回路などから構成される。音声出力部２８は、視覚障害者であるユーザに対して各種情報を通知すべく、ユーザに対して各種情報を音声として出力するものである。
【００３２】
通信部３０は、例えばネットワークアダプタなどから構成される。通信部３０はいわゆる通信インターフェースであり、通信回線１６を介して、画像処理装置１４との間でデータの送受信を行う機能を備えている。通信部３０は、無線通信機能を備えた通信インターフェースであってもよいし、有線通信機能を備えた通信インターフェースであってもよい。
【００３３】
制御部３２は、ＣＰＵ（Central Processing Unit）あるいはマイクロコントローラなどから構成される。制御部３２は端末装置１２の各部を制御するものである。
【００３４】
図３に、ジョブアプリケーションの画面の例が示されている。図３には、ジョブアプリケーションにおいてスキャン機能を選択した場合のトップ画面が示されている。当該トップ画面においては、「プレスキャン」ボタン及び「スキャン」ボタンが表示される。ジョブアプリケーションは、視覚障害者であるユーザを支援する機能を有している。例えば、ユーザが「プレスキャン」ボタンを１回タッチすると音声出力部２８から「プレスキャン」の音声が出力される。これにより、ユーザは画面を十分に視認できなくとも、今タッチしているのが「プレスキャン」ボタンであると認識できる。その後、ユーザがもう一度「プレスキャン」ボタンをタッチすると、端末装置１２から画像処理装置１４に対してプレスキャン指示が送信される。「スキャン」ボタンについても同様であり、ユーザが「スキャン」ボタンを１回タッチすると音声出力部２８から「スキャン」の音声が出力され、その後、ユーザがもう一度「スキャン」ボタンをタッチすることで、端末装置１２から画像処理装置１４に対してスキャンジョブが入力される。
【００３５】
図４には、画像処理装置１４の構成概略図が示されている。以下、図４を参照しつつ、画像処理装置１４の各部について説明する。
【００３６】
通信部４０は、例えばネットワークアダプタなどから構成される。通信部４０はいわゆる通信インターフェースであり、通信回線１６を介して、端末装置１２との間でデータの送受信を行う機能を備えている。通信部４０は、無線通信機能を備えた通信インターフェースであってもよいし、有線通信機能を備えた通信インターフェースであってもよい。また、通信部４０は、公衆回線にも接続可能である。したがって、画像処理装置１４がファックス機能を発揮する際に通信部４０が利用される。
【００３７】
表示部４２は、例えば液晶パネルなどから構成される。表示部４２は、画像処理装置１４の各種操作画面あるいは各種情報が表示される。
【００３８】
入力部４４は、例えばタッチパネルあるいはボタンなどから構成される。入力部４４は、ユーザからの入力操作を受け付けるものである。
【００３９】
音声出力部４６は、例えばスピーカ及びスピーカの駆動回路などから構成される。音声出力部４６は、表示部４２に表示された各種操作画面の内容あるいは各種情報の内容などを視覚障害者であるユーザに通知すべく、各種操作画面の内容あるいは各種情報などを音声として出力するものである。後述のように、音声出力部４６は、警告出力部及び原稿内容通知部としても機能する。
【００４０】
画像読取部４８は、例えば光源、あるいはＣＣＤ（Charge-Coupled Device）イメージセンサなどを含んで構成される。画像読取部４８は、原稿である紙文書に対する読み取り処理（スキャン処理）を行う。したがって、画像処理装置１４がスキャン機能、コピー機能、あるいはファックス機能を発揮する際に画像読取部４８が利用される。画像読取部４８は、画像処理装置１４の原稿台（不図示）にセットされた紙文書に対してスキャン処理を行うことが可能である。紙文書が複数ページからなる場合には、原稿台から読み取り位置まで各ページが順次送られてくるため、画像読取部４８は、各ページに対するスキャン処理を連続的に行うことができる。
【００４１】
ユーザが、コピージョブ、スキャンジョブ、あるいはファックスジョブを画像処理装置１４に入力するに際して、画像処理装置１４に対してプレスキャンを指示した場合、画像読取部４８は、紙文書に対してプレスキャン処理を行う。本実施形態では、画像読取部４８は、紙文書の全体（全ページ）に対してプレスキャン処理を実行する。プレスキャン処理により、紙文書の各ページに対応する複数のプレスキャンページデータからなるプレスキャンデータが得られる。プレスキャンページデータは事前読取ページデータに相当するものであり、プレスキャンデータは事前読取データに相当するものである。このように、画像読取部４８は、事前読取データ取得部としても機能する。
【００４２】
プレスキャン処理は、事前読取設定としてのプレスキャン設定において行われる。本実施形態においては、プレスキャン設定の内容は、画像処理装置１４の管理者あるいはユーザなどによって予め決定されているものとする。スキャン処理に関する設定に含まれる設定項目には、例えば、「解像度」、「カラーモード」、「原稿の画質」、「スキャン面指定」、「自動正立指定」、「白紙検出指定」、あるいは「傾き補正指定」などがある。本実施形態では、上記の設定項目のうち、「解像度」及び「カラーモード」に注目する。
【００４３】
「解像度」とは、スキャン処理により生成される画像データの画素密度を表すものであり、例えば２００ＤＰＩ（Dots Per Inch）、３００ＤＰＩ、４００ＤＰＩ、６００ＤＰＩなどの設定値を取り得る。「カラーモード」とは、スキャン処理により生成される画像データのカラーモードを表すものである。カラーモードとして「カラー」が選択されると画像データがカラー画像となり、「白黒」が選択されると画像データが白黒となる。
【００４４】
本実施形態におけるプレスキャン設定に含まれる各設定項目に対する設定値は以下の通りである。設定項目「解像度」に対する設定値は、プレスキャンデータに対してＯＣＲ（Optical Character Recognition）処理（文字認識処理）が実施可能となる程度以上に設定される。本実施形態では、「３００ＤＰＩ」が設定される。もちろんそれ以上の解像度が設定されてもよいが、プレスキャンデータの容量を極力抑えるため、あるいはプレスキャン処理の高速化の観点から、本実施形態では、ＯＣＲ処理が可能である限りにおいてできるだけ小さい解像度が設定されている。設定項目「カラーモード」に対する設定値は、プレスキャンデータの容量を抑えるため、あるいはプレスキャン処理の高速化の観点から「白黒」が設定される。
【００４５】
画像読取部４８は、紙文書の原稿属性を紙文書に含まれるページ毎に取得する。本実施形態では、原稿属性として、ページにカラー（白黒以外の色）が含まれるか否かを示す色属性が取得される。もちろん取得される原稿属性はこれに限られず、他の属性が含まれていてもよい。画像読取部４８は、プレスキャン処理にあたり、紙文書に含まれる各ページに対するスキャン処理を行うから、当該スキャン処理によって紙文書の各ページの原稿属性を取得することができる。例えば、本実施形態においては、プレスキャン設定で設定項目「カラーモード」に対して「白黒」が設定されており、プレスキャンデータとしては白黒となるものの、スキャン処理の過程において、紙文書の各ページにカラーが含まれているか否かを判定することができる。
【００４６】
プレスキャン処理により取得された、紙文書のページ毎の原稿属性、各プレスキャンページデータ、及びプレスキャン設定は、互いに関連付けられて、記憶部５２内に構築されるプレスキャンＤＢ５４に格納される。なお、本実施形態におけるプレスキャンページデータはビットマップ形式のデータで記憶される。プレスキャンページデータとしては、その他、ＴＩＦＦ（Tagged Image File Format）形式、若しくは、ビットマップ形式又はＴＩＦＦ形式などの非圧縮形式のデータを圧縮して圧縮形式（例えばＺＩＰ形式）として記憶されてもよい。プレスキャンページデータが圧縮形式で格納された場合は、後にプレスキャンＤＢ５４から読み出される際は、圧縮解除（解凍）された上で読み出される。
【００４７】
また、ユーザにより、コピージョブ、スキャンジョブ、あるいはファックスジョブの本処理実行が指示された場合には、画像読取部４８は、ユーザにより指定された本処理読取設定としての本スキャン設定に基づいて、紙文書に対してスキャン処理を行って本読取ページデータとしての本スキャンページデータを取得する。つまり、画像読取部４８は、本読取データ取得部としても機能する。取得された本スキャンページデータは後述の制御部５６（詳しくは画像データ生成部６２）に送られる。本処理時における画像読取部４８の動作の詳細については後述する。
【００４８】
画像形成部５０は、画像処理装置１４にコピージョブが入力された際に、後述の画像データ生成部６２が生成した画像データを紙などの印刷媒体上に再現するプリント処理を実行する印刷部などを含んで構成される。このように、画像処理装置１４がコピー機能を発揮する際に画像形成部５０が利用される。
【００４９】
記憶部５２は、ハードディスク、ＲＯＭ、あるいはＲＡＭなどを含んで構成される。記憶部５２には、画像処理装置１４の各部を動作させるためのデータ処理プログラムが記憶される。また、図４に示される通り、記憶部５２内においてプレスキャンＤＢ５４が定義される。
【００５０】
プレスキャンＤＢ５４には、上述の通り、画像読取部４８によるプレスキャン処理により取得された、紙文書のページ毎の原稿属性、各プレスキャンページデータ、及びプレスキャン設定が互いに関連付けられて格納される。図５に、プレスキャンＤＢ５４の内容の例が示されている。図５には、１０ページからなる紙文書に対してプレスキャン処理が実行された場合にプレスキャンＤＢ５４に格納される内容が示されている。
【００５１】
図５に示されたプレスキャンＤＢ５４においては、画像読取部４８による紙文書の１ページに対するプレスキャン処理によって得られた１ページ目の原稿属性である「カラー」と、紙文書の１ページ目に対するプレスキャン処理により得られた「scan1_p1.bmp」という名前のプレスキャンページデータとが関連付けられて格納されている。以下、ページ２〜１０についても同様に、各ページの原稿属性と、プレスキャンページデータが関連付けられて格納されている。また、図５の例においては、１つのジョブに対応する紙文書の各ページに対して同じプレスキャン設定が適用された例であるため、プレスキャンＤＢ５４には、各ページの原稿属性及びプレスキャンページデータに対して同じプレスキャン設定が関連付けられている。
【００５２】
図５に示すプレスキャンＤＢ５４からは、紙文書は、１ページ目及び１０ページ目がカラーを含むページ（カラーページ）であって、２〜９ページ目がカラーを含まない白黒のページ（白黒ページ）であることが把握できる。プレスキャンＤＢ５４に格納された内容は、当該紙文書に対する本処理が完了したときに削除されてよい。
【００５３】
図４に戻り、制御部５６は、ＣＰＵあるいはマイクロコントローラなどから構成される。制御部５６は記憶部５２に記憶されたデータ処理プログラムに従って、画像処理装置１４の各部を制御するものである。また、図４に示されるように、制御部５６は、データ解析部５８、通知制御部６０、及び、本処理用データ生成部としての画像データ生成部６２としても機能する。
【００５４】
データ解析部５８は、画像読取部４８によるプレスキャンにより取得されたプレスキャンデータに対して解析処理を行う。具体的には、プレスキャンデータに対してＯＣＲ処理を行うものである。ＯＣＲ処理は、プレスキャンデータに含まれる文字を識別して文字情報を抽出する処理である。特に、ＯＣＲ処理により、紙文書の内容を示す文字情報が取得される。つまり、データ解析部５８は、文字情報抽出部として機能する。ＯＣＲ処理は、紙文書の内容を示す文字情報を取得することが目的であるため、データ解析部５８は、プレスキャンデータ全体に対してＯＣＲ処理を行わずに、その一部に対してのみＯＣＲ処理を行うようにしてもよい。例えば、所定サイズ以上の文字のみを抽出する、紙文書のタイトル部分、各ページのヘッダー部分、あるいは各ページのフッター部分のみに対してＯＣＲ処理を行うようにしてもよい。
【００５５】
通知制御部６０は、データ解析部５８によるプレスキャンデータに対するＯＣＲ処理により抽出された文字情報をユーザに対して通知する処理を行う。具体的には、通知制御部６０は、抽出された文字情報を表示部４２に表示させると共に、音声出力部４６から音声出力させる。これにより、ユーザに対して紙文書の内容が通知される。特に、紙文書の内容が音声出力されるから、視覚障害者であるユーザは、処理対象の紙文書が意図したものであるか否かを好適に把握することができる。
【００５６】
本実施形態では、データ解析部５８は、紙文書の全ページに対するプレスキャンが終了した後に、プレスキャンデータに対してＯＣＲ処理を行っているが、データ解析部５８は、プレスキャンによりプレスキャンページデータが生成される度に、各プレスキャンページデータに対してＯＣＲ処理を行うようにしてもよい。つまり、ＯＣＲ処理及び文字情報の音声出力と、プレスキャンとが並行して行われてもよい。この場合、プレスキャンの途中で、ユーザから紙文書が意図したものであるとの情報が入力された場合は、それ以後に取得されたプレスキャンページデータに対しては、データ解析部５８はＯＣＲ処理を行わないようにしてもよい。あるいは、プレスキャンの途中で、ユーザから紙文書が意図したものであるとの情報が入力された場合は、それ以降のプレスキャンは本来の意義がなくなる。したがって、その後は、プレスキャンページデータを本処理用の画像データとして利用できる可能性を高めるべく（詳細後述）、プレスキャン設定を変えてプレスキャンするようにしてもよい。例えば、プレスキャン設定を、設定項目「カラーモード」に対する設定値を「白黒」から「カラー」に変更するようにしてもよい。
【００５７】
画像データ生成部６２は、本処理用データとしての画像データを生成する。本処理用データとは、ユーザにより入力されたジョブの処理結果そのもの、あるいはジョブの処理の対象となるデータである。具体的には、本処理用データは、画像読取部４８におけるスキャン処理によって得られた画像データである。コピージョブにおいては、本処理用データとしての画像データがジョブの処理結果そのものであるし、プリントジョブにおいては、本処理用データとしての画像データが印刷対象のデータとなるし、ファックスジョブにおいては、本処理用データとしての画像データがファックス送信の対象のデータとなる。
【００５８】
画像データ生成部６２は、画像読取部４８におけるプレスキャンが終了した後、ユーザが紙文書を再度原稿台にセットし、ユーザにより本読取設定としての本スキャン設定が入力されると共に、本処理の開始が指示されたことをトリガとして画像データの生成処理を開始する。本スキャン設定にも、上述の通り、「解像度」、「カラーモード」、「原稿の画質」、「スキャン面指定」、「自動正立指定」、「白紙検出指定」、あるいは「傾き補正指定」などの設定項目が含まれる。ユーザはこれらの設定項目に対し、所望の設定値を入力することができる。本スキャン設定においても、上記の設定項目のうち、「解像度」及び「カラーモード」に注目する。
【００５９】
本実施形態においては、画像データ生成部６２は、プレスキャンにより取得されプレスキャンＤＢ５４に格納されたプレスキャンページデータを利用して画像データを生成する。詳しくは、ユーザにより入力された本スキャン設定、プレスキャンＤＢ５４に格納されているプレスキャン設定、及び、紙文書の各ページの原稿属性に基づいて、紙文書のページのうち、対応するプレスキャンページデータが本スキャン設定を満足するページについては、プレスキャンページデータを利用し、対応するプレスキャンページデータが本スキャン設定を満足しないページについては、本スキャン設定により画像読取部４８が紙原稿を改めてスキャン処理（本スキャン処理）を行って得られた本スキャンページデータを利用して画像データを生成する。
【００６０】
「プレスキャンページデータが本スキャン設定を満足する」とは、プレスキャンページデータが、対応するページに対して仮に本スキャン設定でスキャン処理した場合に得られるであろう処理結果（以下「仮スキャンページデータ」と記載する）以上の品位（つまり同等あるいはより高品位）を有することを意味する。本スキャン設定を満足するか否かは紙文書のページ毎に判定される。また、プレスキャンページデータが仮スキャンページデータ以上の品位であるか否かは、プレスキャン設定及び本スキャン設定に含まれる設定項目毎に比較される。本実施形態においては、設定項目「解像度」及び「カラーモード」において品位が比較される。なお、設定値のみに着目すれば、設定項目「解像度」については、設定値であるＤＰＩがより高い方がより高品位であるといえ、設定項目「カラーモード」については、設定値「白黒」よりも「カラー」の方が高品位であるといえる。
【００６１】
設定項目「解像度」については、紙文書のページの原稿属性によらず、プレスキャン設定（設定項目「解像度」に対する設定値）と、本スキャン設定（設定項目「解像度」に対する設定値）との比較によって、プレスキャンページデータと仮スキャンページデータの品位の比較をすることができる。具体的には、プレスキャン設定に含まれる設定項目「解像度」に対する設定値が、本スキャン設定に含まれる設定項目「解像度」に対する設定値以上である場合にプレスキャンページデータが仮スキャンページデータ以上の品位であるといえる。
【００６２】
設定項目「カラーモード」については、紙文書のページの原稿属性と、プレスキャン設定（設定項目「カラーモード」に対する設定値）と、本スキャン設定（設定項目「カラーモード」に対する設定値）との比較により、プレスキャンページデータと仮スキャンページデータの品位が比較される。まず、紙文書のページのうち白黒ページについては、プレスキャン設定及び本スキャン設定に関わらず、プレスキャンデータが仮スキャンページデータと同等の品位を有しているといえる。白黒ページであれば、本スキャン設定において設定項目「カラーモード」に対して設定値「カラー」を設定しても、仮スキャンページデータは結局白黒となるからである。一方、紙文書のページのうちカラーページについては、プレスキャン設定と本スキャン設定との比較によって、プレスキャンページデータと仮スキャンページデータの品位の比較をすることができる。具体的には、プレスキャン設定及び本スキャン設定の両方が「白黒」、プレスキャン設定及び本スキャン設定の両方が「カラー」、及び、プレスキャン設定が「カラー」且つ本スキャン設定が「白黒」である場合に、プレスキャンページデータが仮スキャンページデータ以上の品位であるといえる。
【００６３】
上述の各設定項目（「解像度」及び「カラーモード」）の全てにおいて、プレスキャンページデータが仮スキャンページデータ以上の品位であると判定された場合に、プレスキャンページデータ全体として、仮スキャンページデータ以上の品位を有する、つまりプレスキャンページデータが本スキャン設定を満足する、と判定される。画像データ生成部６２は、紙文書の各ページについて上記判定処理を行う。そして、判定処理の結果に応じて、ページ毎に、プレスキャンページデータを利用するか、本スキャンページデータを利用するかを決定する。
【００６４】
以下、画像データ生成部６２の処理について具体例を挙げて説明する。
【００６５】
処理対象の紙文書は、１ページ目及び１０ページ目がカラーページであって、２〜９ページ目が白黒ページであるとする。また、紙文書の全ページに対して同じプレスキャン設定、詳しくは、設定項目「解像度」に対して設定値「３００ＤＰＩ」、及び、設定項目「カラーモード」に対して設定値「白黒」でプレスキャンが行われたとする。つまり、プレスキャンＤＢ５４には、図５に示す内容が格納されているとする。さらに、本スキャン設定として、設定項目「解像度」に対して設定値「３００ＤＰＩ」、及び、設定項目「カラーモード」に対して設定値「カラー」が設定されたとする。
【００６６】
まず、設定項目「解像度」に注目すると、プレスキャン設定の設定項目「解像度」に対する設定値は「３００ＤＰＩ」であり、本スキャン設定の設定項目「解像度」に対する設定値も「３００ＤＰＩ」であるから、「解像度」のみについていえば、各プレスキャンページデータは本スキャン設定を満足するといえる。なお、プレスキャン設定の解像度よりも本スキャン設定の解像度が高い場合、画像データ生成部６２は、それが判明した時点で画像読取部４８に対して紙文書の全ページを本スキャン設定でスキャンすることを指示し、それによって得られた、紙文書の全ページに対応する各本スキャンページデータを画像データとして生成してよい。
【００６７】
次に、設定項目「カラーモード」に注目する。設定項目「カラーモード」については、上述のように、紙文書のページ毎の原稿属性も考慮されるから、ページ毎にプレスキャンページデータが本スキャン設定を満足するか否かが判定される。
【００６８】
１ページ目の原稿属性は「カラー」となっているため、画像データ生成部６２は、プレスキャン設定の設定項目「カラーモード」に対する設定値と、本スキャン設定の設定項目「カラーモード」に対する設定値とを比較する。ここで、プレスキャン設定の設定項目「カラーモード」に対する設定値は「白黒」であり、本スキャン設定の設定項目「カラーモード」に対する設定値は「カラー」である。つまり、プレスキャン設定よりも本スキャン設定の方が高品位の設定となっている。したがって、画像データ生成部６２は、１ページ目については、プレスキャンページデータは本スキャン設定を満足しないと判定する。画像データ生成部６２は、当該判定に基づき、紙文書の１ページ目を、本スキャン設定による本スキャン処理の対象である本スキャン対象ページとして特定する。
【００６９】
２〜９ページ目の原稿属性は「白黒」となっているため、画像データ生成部６２は、プレスキャン設定及び本スキャン設定を確認する必要なく、２〜９ページ目については、プレスキャンデータが本スキャン設定を満足すると判定できる。画像データ生成部６２は、当該判定に基づき、紙文書の２〜９ページ目を、本スキャン処理の対象ではない本スキャン非対象ページとして特定する。
【００７０】
１０ページ目の原稿属性は「カラー」となっているため、１ページ目と同様に、画像データ生成部６２は、１０ページ目については、プレスキャンページデータは本スキャン設定を満足しないと判定する。画像データ生成部６２は、当該判定に基づき、紙文書の１０ページ目を、本スキャン設定による本スキャン処理の対象である本スキャン対象ページとして特定する。
【００７１】
このように、画像データ生成部６２により、紙文書の各ページが本スキャン対象ページと本スキャン非対象ページとに分けられる。そして、紙文書の各ページが本スキャン対象ページであるか本スキャン非対象ページであるかを示す本スキャン対象ページ情報が画像読取部４８に送られる。
【００７２】
画像読取部４８は、本スキャン対象ページ情報に基づいて、紙文書のうち、本スキャン対象ページに対して、本スキャン設定でスキャン処理を行う。一方、紙文書のうち、本スキャン非対象ページに対しては、本処理時においてはスキャン処理は行わない。本実施形態では、本処理前において紙文書の全ページが原稿台にセットされる。その上で、画像読取部４８は、紙文書の全ページを読み取り位置まで順次送った上で、本スキャン対象ページに対してはスキャン処理を行うが、本スキャン非対象ページについてはスキャン処理をしないで排出する。つまり、本スキャン非対象ページについては空送りする。これにより、ユーザは、紙文書の各ページが本スキャン対象ページであるか本スキャン非対象ページであるかを意識する必要なく、紙文書の全ページを原稿台にセットした上で本処理を行う指示を入力すれば、自動的に本スキャン対象ページのみに対するスキャン処理を行うことができる。
【００７３】
画像データ生成部６２は、本スキャン対象ページに対する本スキャン処理により得られた本スキャンページデータを取得する。一方、画像データ生成部６２は、本スキャン非対象ページに対応するプレスキャンページデータをプレスキャンＤＢ５２から取得する。そして、本スキャンページデータとプレスキャンページデータが混在した画像データを生成する。
【００７４】
生成された画像データは、ユーザにより入力されたジョブに応じて適宜処理される。例えば、スキャンジョブであれば画像データが記憶部５２に記憶され、コピージョブであれば生成された画像データに対して画像形成部５０によってプリント処理が実行され、ファックスジョブであれば生成された画像データがファックス送信される。
【００７５】
本実施形態に係る画像処理システム１０の構成概略としては以上の通りである。画像処理システム１０によれば、視覚障害者が原稿の内容を確認するために得られたプレスキャンデータの少なくとも一部を利用して画像データが生成される。これにより、画像データ生成のために本スキャン処理を行わなければならないページが低減される。したがって、本処理に係る時間が低減される。さらに、本実施形態によれば、本スキャン非対象ページは、プレスキャンページデータが本スキャン設定を満足するページであるから、本実施形態により生成された画像データは、紙文書の全ページに対して本スキャン設定によりスキャン処理を行うことで得られた画像データに対して品位が低下していない。すなわち、本実施形態によれば、画像データの質を維持しつつも、本スキャン処理に要する時間を低減することができる。
【００７６】
以下、図６に示すフローチャートに従って、本実施形態に係る画像処理装置１４の処理の流れについて説明する。
【００７７】
ステップＳ１０において、ユーザが端末装置１２を利用して画像処理装置１４対してプレスキャン処理を指示すると、画像読取部４８は、所定のプレスキャン設定にて原稿である紙文書の全ページに対してプレスキャン処理を実行する。
【００７８】
ステップＳ１２において、画像読取部４８は、プレスキャン処理により得られた、紙原稿のページ毎の原稿属性、プレスキャンページデータ、及びプレスキャン処理を関連付けてプレスキャンＤＢ５４に格納する。
【００７９】
ステップＳ１４において、データ解析部５８は、ステップＳ１２でプレスキャンＤＢ５４に格納されたプレスキャンデータ（各プレスキャンページデータ）に対してＯＣＲ処理を実行する。これにより、プレスキャンデータから、紙文書の内容を示す文字情報が抽出される。
【００８０】
ステップＳ１６において、通知制御部６０は、ステップＳ１４で抽出された文字情報を音声出力部４６に音声出力させる。これにより、視覚障害者であるユーザは、紙文書の内容を把握することができる。
【００８１】
ステップＳ１８において、制御部５６は、ユーザによりジョブの実行がキャンセルされたか否化を判定する。ステップＳ１６において紙文書の内容が音声通知されたユーザは、紙文書が意図したものである場合は処理を継続するが、紙文書が意図したものでない場合は、ジョブをキャンセルできる。当該キャンセル指示は、端末装置１２上で動作するジョブアプリケーション２２を操作することで画像処理装置１４に入力できる。あるいは、ユーザは、画像処理装置１４を直接操作することでジョブをキャンセルしてもよい。ユーザによりジョブがキャンセルされた場合は、画像処理装置１４は、ステップＳ２０以下の処理を行わずに処理を終了する。ジョブが継続された場合はステップＳ２０に進む。
【００８２】
ステップＳ２０において、ユーザは、紙文書を再度原稿台にセットし、画像処理装置１４に本スキャン設定を入力すると共に、本スキャン処理の実行を指示する。本実施形態では、ユーザは、画像処理装置１４を直接操作することによって（つまり入力部４４を用いて）本スキャン設定を入力するものとする。なお、もちろん本スキャン設定は端末装置１２から入力されてもよい。
【００８３】
図７に、本スキャン設定の入力に先立って表示部４２に表示されるプレスキャン設定利用選択画面が示されている。プレスキャン設定利用選択画面においては、ユーザは、チェックボックスＤ１をチェックした上で「ＯＫ」ボタンをタッチすることにより、本スキャン設定としてプレスキャン設定と同一の設定を入力することができる。本実施形態においては、チェックボックスＤ１の初期状態はチェックが入った状態となっている。これにより、ユーザに本スキャン設定としてプレスキャン設定を利用することが促される。本スキャン設定としてプレスキャン設定が利用されれば、画像データ生成部６２は、本スキャン処理を行う必要なく、既にプレスキャンＤＢ５４に格納されているプレスキャンデータを画像データとして利用できる。
【００８４】
ユーザによりチェックボックスＤ１のチェックが外されると、通知制御部６０は、表示部４２にスキャン処理時間に影響があることをユーザに通知するメッセージ（警告）を表示させると共に、当該メッセージを音声出力部４６から音声出力させる。つまり、通知制御部６０は、警告出力部としても機能する。これにより、さらにユーザに本スキャン設定としてプレスキャン設定を利用することが促される。
【００８５】
図６に戻り、ステップＳ２２において、画像データ生成部６２は変数ｎを１に初期化する。ｎは、紙文書のページ番号を示す変数である。
【００８６】
ステップＳ２４において、画像データ生成部６２は、紙文書ｎページ目（ここでは１ページ目）の原稿属性、プレスキャン設定、及び本スキャン設定に基づいて、ｎページ目に対応するプレスキャンページデータが、本スキャン設定を満足するか否かを判定する。
【００８７】
プレスキャンページデータが本スキャン設定を満足すると判定された場合、ステップＳ２６において、画像データ生成部６２は、紙文書のｎページ目を本スキャン非対象ページであると特定する。一方、プレスキャンページデータが本スキャン設定を満足しないと判定された場合、ステップＳ２８において、画像データ生成部６２は、紙文書のｎページ目を本スキャン対象ページであると特定する。
【００８８】
ステップＳ３０において、画像データ生成部６２は、紙文書の全てのページに対して本スキャン対象ページであるか本スキャン非対象ページであるかの特定が終了したか否かを判定する。終了していない場合はステップＳ３２でｎが１インクリメントされる、再度Ｓ２４以下の処理（つまり次のページに対する処理）が実行される。終了している場合はステップＳ３４に進む。
【００８９】
ステップＳ３４において、画像データ生成部６２は本スキャン対象ページ情報を画像読取部４８に送り、画像読取部４８は、本スキャン対象ページ情報に基づいて、紙文書のうち本スキャン対象ページのみに対して本スキャン設定でスキャン処理（本スキャン処理）を行う。これにより、各本スキャン対象ページに対応する各本スキャンページデータが取得される。
【００９０】
ステップＳ３６において、画像データ生成部６２は、本スキャン対象ページについては、ステップＳ３４で取得された本スキャンページデータを利用し、本スキャン非対象ページについては、プレスキャンＤＢ５４からプレスキャンページデータを読み出して利用して、本スキャンページデータとプレスキャンページデータが混在した画像データを生成する。
【００９１】
以下、変形実施形態について説明する。図８に、変形実施形態に係る画像処理装置１４−２の構成概略図が示されている。画像処理装置１４−２においては、上記基本実施形態に係る画像処理装置１４と同じ機能を有する構成要素については同一の符号を付し、その説明は省略する。画像処理装置１４−２は、画像処理装置１４に比して、記憶部５２−２に仮事前読取設定としての仮プレスキャン設定７０が記憶されている点、及び、制御部５６−２がプレスキャン設定決定部７２としての機能を有する点において異なる。
【００９２】
基本実施形態では、プレスキャン設定が予め決定されていたが、変形実施形態においては、プレスキャン設定が本スキャン設定に応じて決定されるものである。
【００９３】
仮プレスキャン設定７０は、画像処理装置１４−２の管理者などによって予め決定され記憶部５２−２に記憶される。本変形実施形態においては、仮プレスキャン設定として、設定項目「解像度」に対して設定値「３００ＤＰＩ」、設定項目「カラーモード」に対して設定値「白黒」が設定されている。
【００９４】
変形実施形態においては、ユーザは、プレスキャン処理に先立って本スキャン設定を画像処理装置１４に入力する。プレスキャン設定決定部７２は、仮プレスキャン設定７０及び入力された本スキャン設定に基づいて、プレスキャン設定を決定する。詳しくは、設定項目毎に、仮プレスキャン設定の設定値と本スキャン設定の設定値とを比較して、２つの設定値のうちより高品位の設定値を選択することでプレスキャン設定を決定する。
【００９５】
例えば、本スキャン設定として、設定項目「解像度」に対して設定値「６００ＤＰＩ」、設定項目「カラーモード」に対して設定値「白黒」が入力された場合を考える。まず、設定項目「解像度」について、プレスキャン設定決定部７２は、仮プレスキャン設定における設定値「３００ＤＰＩ」と本スキャン設定における設定値「６００ＤＰＩ」を比較する。それにより、プレスキャン設定の設定項目「解像度」に対する設定値として、より高品位な設定である「６００ＤＰＩ」を選択する。次に、設定項目「カラーモード」について、プレスキャン設定決定部７２は、仮プレスキャン設定における設定値「白黒」と本スキャン設定における設定値「白黒」を比較する。この場合、２つの設定値は同じであり、その品位も同じであるから、プレスキャン設定の設定項目「カラーモード」に対する設定値として「白黒」が選択される。これにより、プレスキャン設定として、設定項目「解像度」に対して設定値「６００ＤＰＩ」、設定項目「カラーモード」に対して設定値「白黒」が設定される。
【００９６】
このように設定されたプレスキャン設定でのプレスキャン処理により生成されたプレスキャンデータは、そのまま本処理用の画像データをして利用できる。したがって、変形実施形態によれば、本スキャン処理を行うことなくプレスキャン処理のみによって、本処理用の画像データを得ることができる。
【００９７】
以上、本発明に係る実施形態を説明したが、本発明は上記実施形態に限られるものではなく、本発明の趣旨を逸脱しない限りにおいて種々の変更が可能である。
【符号の説明】
【００９８】
１０  画像処理システム、１２  端末装置、１４  画像処理装置、１６  通信回線、２０，５２  記憶部、２２  ジョブアプリケーション、２４，４２  表示部、２６，４４  入力部、２８，４６  音声出力部、３０，４０  通信部、３２，５６  制御部、４８  画像読取部、５０  画像形成部、５４  プレスキャンＤＢ、５８  データ解析部、６０  通知制御部、６２  画像データ生成部。
【図１】
2018133773.tif 000003
【図２】
2018133773.tif 000004
【図３】
2018133773.tif 000005
【図４】
2018133773.tif 000006
【図５】
2018133773.tif 000007
【図６】
2018133773.tif 000008
【図７】
2018133773.tif 000009
【図８】
2018133773.tif 000010